(57)【要約】【課題】画像から任意の幅のスジ状領域を検出可能なフィルタリング手法を提供する。【解決手段】スジ状領域検出装置は、画像を取得する画像取得部と、第１方向に沿う輝度の増加に反応する第１フィルタを前記画像に適用し、前記第１フィルタの適用位置における前記第１フィルタの応答値である、第１応答値を取得する第１フィルタ演算部と、前記第１方向に沿う輝度の減少に反応する第２フィルタを前記画像に適用し、前記第２フィルタの適用位置における前記第２フィルタの応答値である、第２応答値を取得する第２フィルタ演算部と、前記第１応答値と前記第２応答値を統合した統合値に基づいて、前記第１フィルタの適用位置と前記第２フィルタの適用位置との間の前記第１方向に沿う距離に対応する幅をもつ、スジ状領域を検出する検出部と、前記検出部により得られた情報を出力する出力部と、を有する。【選択図】図６
2018097717.tif 000002
【特許請求の範囲】
【請求項１】
画像を取得する画像取得部と、
第１方向に沿う輝度の増加に反応する第１フィルタを前記画像に適用し、前記第１フィルタの適用位置における前記第１フィルタの応答値である、第１応答値を取得する第１フィルタ演算部と、
前記第１方向に沿う輝度の減少に反応する第２フィルタを前記画像に適用し、前記第２フィルタの適用位置における前記第２フィルタの応答値である、第２応答値を取得する第２フィルタ演算部と、
前記第１応答値と前記第２応答値を統合した統合値に基づいて、前記第１フィルタの適用位置と前記第２フィルタの適用位置との間の前記第１方向に沿う距離に対応する幅をもつ、スジ状領域を検出する検出部と、
前記検出部により得られた情報を出力する出力部と、を有する
ことを特徴とするスジ状領域検出装置。
【請求項２】
前記第１フィルタ演算部は、前記第１フィルタの適用位置を変えて、複数の第１応答値を取得し、
前記第２フィルタ演算部は、前記第２フィルタの適用位置を変えて、複数の第２応答値を取得し、
前記検出部は、前記複数の第１応答値と前記複数の第２応答値のうちから選択する第１応答値と第２応答値の組み合わせを変えることにより、幅の異なる複数種類のスジ状領域を検出可能である
ことを特徴とする請求項１に記載のスジ状領域検出装置。
【請求項３】
前記第１フィルタ演算部は、前記第１フィルタの適用位置を前記第１方向にシフトしながら、複数の第１応答値を取得し、
前記第２フィルタ演算部は、前記第２フィルタの適用位置を前記第１方向にシフトしながら、複数の第２応答値を取得し、
前記検出部は、前記複数の第１応答値と前記複数の第２応答値のうちから、前記統合値が最大となる第１応答値と第２応答値の組み合わせを選択し、最大の前記統合値に基づいてスジ状領域の有無を判定する
ことを特徴とする請求項１に記載のスジ状領域検出装置。
【請求項４】
前記スジ状領域は、前記第１方向と直交する第２方向に沿って延びる領域であり、
前記第１フィルタ演算部は、前記第１フィルタの適用位置を前記第２方向にシフトしながら、複数の第１応答値を取得し、
前記第２フィルタ演算部は、前記第２フィルタの適用位置を前記第２方向にシフトしながら、複数の第２応答値を取得し、
前記検出部は、前記複数の第１応答値と前記複数の第２応答値を統合した統合値を計算し、前記統合値に基づいて前記第２方向に沿って延びるスジ状領域の有無を判定する
ことを特徴とする請求項１に記載のスジ状領域検出装置。
【請求項５】
前記出力部は、前記統合値と、前記スジ状領域の検出結果とを出力する
ことを特徴とする請求項１〜４のうちいずれか１項に記載のスジ状領域検出装置。
【請求項６】
前記出力部は、前記画像又は前記画像を加工した画像の上に、前記スジ状領域が検出された位置を示す情報を重畳した画像を、出力する
ことを特徴とする請求項１〜５のうちいずれか１項に記載のスジ状領域検出装置。
【請求項７】
前記出力部は、前記第１方向に沿う輝度値の変化を示す１次元の輝度プロファイルを出
力する
ことを特徴とする請求項１〜６のうちいずれか１項に記載のスジ状領域検出装置。
【請求項８】
前記画像取得部により取得される前記画像は、面光源装置の発光面を撮影した画像であり、
前記検出部は、前記発光面内の輝度の不均一により現れるスジ状の明領域又は暗領域を検出するものである
ことを特徴とする請求項１〜７のうちいずれか１項に記載のスジ状領域検出装置。
【請求項９】
画像を取得するステップと、
第１方向に沿う輝度の増加に反応する第１フィルタを前記画像に適用し、前記第１フィルタの適用位置における前記第１フィルタの応答値である、第１応答値を取得するステップと、
前記第１方向に沿う輝度の減少に反応する第２フィルタを前記画像に適用し、前記第２フィルタの適用位置における前記第２フィルタの応答値である、第２応答値を取得するステップと、
前記第１応答値と前記第２応答値を統合した統合値に基づいて、前記第１フィルタの適用位置と前記第２フィルタの適用位置との間の前記第１方向に沿う距離に対応する幅をもつ、スジ状領域を検出するステップと、
検出の結果を出力するステップと、を含む
ことを特徴とするスジ状領域検出方法。
【請求項１０】
請求項９に記載のスジ状領域検出方法の各ステップをコンピュータに実行させるためのプログラム。
【発明の詳細な説明】
【技術分野】
【０００１】
本発明は、画像内のスジ状領域を検出するための技術に関する。
【背景技術】
【０００２】
液晶表示装置のバックライトとして、エッジライト型（Edge-lit）の面光源装置が用いられている。エッジライト型とは、面光源装置の発光面の端縁（エッジ）に沿ってＬＥＤ（Light Emitting Diode）などの光源を配置し、光源から出射された光を板状のライトガイド（導光板と呼ばれる）により発光面に導く構成である。エッジライト型の面光源装置は、小型化・薄型化が比較的容易であることから、例えばスマートフォンのような小型の電子機器において広く採用されている。
【０００３】
エッジライト型の面光源装置では、導光板の金型や成形の不良、アセンブル時のズレなどの様々な原因により、輝度の不均一に関する不具合が発生することがある。そのような不具合の一つに、ある方向に沿って直線的に延びるスジ状の明領域又は暗領域が現れる、というものがある。明領域とは周囲に比べて輝度が相対的に高い領域であり、暗領域とは周囲に比べて輝度が相対的に低い領域である。本明細書ではこの種の不具合を「スジ状領域」又は「スジ状欠陥」と呼ぶ。
【０００４】
現状、この種の不具合の検査は、ヒト（検査員）の目視による官能検査に依存しているのが実情である。それゆえ、検査に要する手間及びコスト、属人性の高さなどの課題があり、検査の自動化と客観化（定量化）が求められている。
【０００５】
特許文献１には、液晶パネル等の表示デバイスやその応用製品であるプロジェクタにおけるスジ状欠陥を画像処理によって自動で検査する方法が提案されている。その方法は、被検査物を撮影した画像に対し、スジ状欠陥の輝度変化パターンに一致するカーネルをもつフィルタを走査することで、スジ状欠陥を検出するというものである。
【先行技術文献】
【特許文献】
【０００６】
【特許文献１】特開２００５−３４６３００号公報
【発明の概要】
【発明が解決しようとする課題】
【０００７】
特許文献１に記載の方法は、カーネルに一致する輝度変化パターンをもつスジ状欠陥は精度良く検出できるものの、それ以外のスジ状欠陥（例えば、幅が異なるスジ状欠陥など）は検出できないか、検出精度が著しく低下するおそれがある。したがって、検出しなければならないスジ状欠陥の幅が不定の場合（つまり、様々な幅のスジ状欠陥を検出しなければならない場合）には、想定される幅にあわせて多数のフィルタを用意しなければならず、メモリ容量の増大によるコスト増の問題が生じる。しかも、多数のフィルタによる走査を行うと、欠陥検出に要する処理時間が長大になるという課題もある。
【０００８】
本発明は上記実情に鑑みてなされたものであって、画像から任意の幅のスジ状領域を検出可能なフィルタリング手法を提供することを目的とする。
【課題を解決するための手段】
【０００９】
上記目的を達成するために、本発明では、２種類のフィルタを用い、各フィルタの応答値を組み合わせた統合値に基づいてスジ状領域の検出を行う、というアルゴリズムを提案
する。
【００１０】
具体的には、本発明の第一態様は、画像を取得する画像取得部と、第１方向に沿う輝度の増加に反応する第１フィルタを前記画像に適用し、前記第１フィルタの適用位置における前記第１フィルタの応答値である、第１応答値を取得する第１フィルタ演算部と、前記第１方向に沿う輝度の減少に反応する第２フィルタを前記画像に適用し、前記第２フィルタの適用位置における前記第２フィルタの応答値である、第２応答値を取得する第２フィルタ演算部と、前記第１応答値と前記第２応答値を統合した統合値に基づいて、前記第１フィルタの適用位置と前記第２フィルタの適用位置との間の前記第１方向に沿う距離に対応する幅をもつ、スジ状領域を検出する検出部と、前記検出部により得られた情報を出力する出力部と、を有するスジ状領域検出装置を提供する。
【００１１】
この構成によれば、第１フィルタの適用位置と第２フィルタの適用位置との第１方向に沿う距離（以後、「フィルタ間隔」と呼ぶ。）を所望の値に設定することにより、検出するスジ状領域の幅を変えることができる。したがって、２つのフィルタだけで、任意の幅のスジ状領域を検出可能である。よって、フィルタ設計の工数ならびにフィルタ用のメモリ容量を大幅に削減することができる。
【００１２】
ここで、「第１方向に沿う輝度の増加に反応する」とは、フィルタが適用される局所領域において、画像の輝度が第１方向に沿って増加傾向にある場合に、フィルタの応答値が正の値となることをいう。また、「第１方向に沿う輝度の減少に反応する」とは、フィルタが適用される局所領域において、画像の輝度が第１方向に沿って減少傾向にある場合に、フィルタの応答値が正の値となることをいう。なお、「第１方向」は、画像の水平方向でもよいし、垂直方向でもよいし、斜め方向でもよい。
【００１３】
前記第１フィルタ演算部は、前記第１フィルタの適用位置を変えて、複数の第１応答値を取得し、前記第２フィルタ演算部は、前記第２フィルタの適用位置を変えて、複数の第２応答値を取得し、前記検出部は、前記複数の第１応答値と前記複数の第２応答値のうちから選択する第１応答値と第２応答値の組み合わせを変えることにより、幅の異なる複数種類のスジ状領域を検出可能としてもよい。
【００１４】
この構成によれば、幅の異なる複数種類のスジ状領域を検出するために必要なフィルタ演算量を、従来方法（検出する幅毎の複数のフィルタを用いる方法）に比べて、大幅に削減することができる。したがって、本発明の方法は、２種類以上のスジ状領域が検出対象となる場合や、スジ状領域の幅が不定である場合において、従来方法よりも処理時間を大幅に短縮できるという有利な効果を奏する。
【００１５】
前記第１フィルタ演算部は、前記第１フィルタの適用位置を前記第１方向にシフトしながら、複数の第１応答値を取得し、前記第２フィルタ演算部は、前記第２フィルタの適用位置を前記第１方向にシフトしながら、複数の第２応答値を取得し、前記検出部は、前記複数の第１応答値と前記複数の第２応答値のうちから、前記統合値が最大となる第１応答値と第２応答値の組み合わせを選択し、最大の前記統合値に基づいてスジ状領域の有無を判定してもよい。
【００１６】
このような「最大の統合値」を用いることにより、画像内の任意の位置に現れる任意の幅のスジ状領域を精度良く検出することができる。
【００１７】
前記スジ状領域は、前記第１方向と直交する第２方向に沿って延びる領域であり、前記第１フィルタ演算部は、前記第１フィルタの適用位置を前記第２方向にシフトしながら、複数の第１応答値を取得し、前記第２フィルタ演算部は、前記第２フィルタの適用位置を
前記第２方向にシフトしながら、複数の第２応答値を取得し、前記検出部は、前記複数の第１応答値と前記複数の第２応答値を統合した統合値を計算し、前記統合値に基づいて前記第２方向に沿って延びるスジ状領域の有無を判定してもよい。
【００１８】
第２方向に沿って同じ幅の明領域又は暗領域が長く延びているほど、上記統合値は大きい値をとる。したがって、このような統合値を用いることにより、第２方向に沿って延びるスジ状領域を精度良く検出することができる。
【００１９】
前記出力部は、前記評価値と、前記スジ状領域の有無の判定結果とを出力してもよい。ユーザは、判定結果の出力をみることで、スジ状領域の有無を即座に判断することができる。また、評価値も出力されるので、判定結果の根拠が確認でき、判定結果の納得性・客観性が向上する。
【００２０】
前記出力部は、前記画像又は前記画像を加工した画像の上に、前記スジ状領域が検出された位置を示す情報を重畳した画像を、出力してもよい。このような重畳画像を出力することにより、スジ状領域が現れている箇所を直観的かつ簡易に把握することができ、現物の確認作業にも有用である。
【００２１】
前記出力部は、前記第１方向に沿う輝度値の変化を示す１次元の輝度プロファイルを出力してもよい。輝度プロファイルを出力することにより、スジ状領域の状態（周囲との輝度の差）を把握することができる。
【００２２】
例えば、前記画像取得部により取得される前記画像は、面光源装置の発光面を撮影した画像であり、前記検出部は、前記発光面内の輝度の不均一により現れるスジ状の明領域又は暗領域を検出するものであってもよい。すなわち、本発明を面光源装置の検査に利用してもよい。
【００２３】
なお、本発明は、上記構成ないし機能の少なくとも一部を有するスジ状領域検出装置、スジ状領域定量化装置、スジ状領域の検査装置として捉えることができる。また、本発明は、上記処理の少なくとも一部を含む、スジ状領域検出方法、スジ状領域定量化方法、スジ状領域の検査方法や、これらの方法をコンピュータに実行させるためのプログラム、又は、そのようなプログラムを非一時的に記録したコンピュータ読取可能な記録媒体として捉えることもできる。上記構成及び処理の各々は技術的な矛盾が生じない限り互いに組み合わせて本発明を構成することができる。
【発明の効果】
【００２４】
本発明によれば、画像から任意の幅のスジ状領域を検出可能なフィルタリング手法を提供することができる。
【図面の簡単な説明】
【００２５】
【図１】図１は面光源装置の基本的な構成を例示する斜視図である。
【図２】図２はスジ状領域の一例を示す図である。
【図３】図３は検査装置のハードウェア構成を示す図である。
【図４】図４は検査装置のスジ状領域検出処理に関わる機能を示すブロック図である。
【図５】図５Ａ〜図５Ｄは従来手法で用いるフィルタを示す図である。
【図６】図６Ａ〜図６Ｄは本発明の実施形態で用いるフィルタを示す図である。
【図７】図７Ａは縦スジ検出用のフィルタを示す図であり、図７Ｂは横スジ検出用のフィルタを示す図であり、図７Ｃは斜めスジ検出用のフィルタを示す図である。
【図８】図８は第１実施形態における縦スジの検査処理のフローチャートである。
【図９】図９Ａは入力画像の一例を示す図であり、図９Ｂは入力画像から抽出された発光面画像の一例を示す図である。
【図１０】図１０は第１フィルタ演算部の処理のフローチャートである。
【図１１】図１１は検査結果の出力画面の一例を示す図である。
【図１２】図１２は第２実施形態における縦スジの検査処理のフローチャートである。
【図１３】図１３は第２実施形態における縦スジの検査処理のフローチャートである。
【発明を実施するための形態】
【００２６】
本発明は、フィルタを用いて画像からスジ状領域を検出するための技術に関する。この技術は、一般的な画像認識や画像解析に適用することができる。以下では、本発明の好ましい実施形態として、本発明を面光源装置のスジ状領域の検査に応用した例を説明する。この検査は、例えば、面光源装置の製造ラインにおける最終工程でのインライン検査や、面光源装置を組み込んだ製品を製造するメーカにおける部品（面光源装置）の受入検査などに適用できる。なお、以下の実施形態では、液晶表示装置のバックライトとして用いられる面光源装置の例を述べるが、本発明の検査技術は、照明装置やデジタルサイネージなど、他の用途に用いられる面光源装置の検査にも応用することができる。
【００２７】
以下、図面を参照して本発明を実施するための好ましい形態の一例を説明する。ただし、以下の実施形態に記載されている装置の構成や動作は一例であり、本発明の範囲をそれらのみに限定する趣旨のものではない。
【００２８】
＜第１実施形態＞
（面光源装置）
図１は、面光源装置１の基本的な構成を例示する斜視図である。面光源装置１は、導光板（ライトガイド）１０、複数の光源１１、フレキシブルプリント基板（以下、「ＦＰＣ」とも表記する）１２、フレーム１３、及び固定部材１４を備える。また、面光源装置１は、導光板１０の下面側に配置される反射シート１５を備える。さらに、面光源装置１は、導光板１０の上面側に順に積層される拡散シート１６、プリズムシート１７ａ、１７ｂ、及び遮光シート１８を備える。
【００２９】
導光板１０は、概略板状で、ポリカーボネート樹脂やポリメチルメタクリレート樹脂等の透光性の素材で成形される。導光板１０の上側の面は、光が出射する発光面（光出射面とも称す）となっている。導光板１０は、光源１１から導光板１０内へ導入された光を、全反射を利用して発光面に導き、発光面の全体が略均一に光るようにしたものである。
【００３０】
光源１１は、例えば白色光を出射するＬＥＤ光源である。ただし、白色以外のＬＥＤ光源やＬＥＤ光源以外の光源が用いられてもよいし、複数色（例えばＲＧＢ）の光源が用いられてもよい。光源１１はＦＰＣ１２に実装されており、ＦＰＣ１２からの給電を受けて駆動される。本実施形態では、導光板１０の発光面の一の短辺（「第１の辺」と呼ぶ）に沿って８個の光源１１が等間隔に一列に配置されている。
【００３１】
フレーム１３は、開口を有し、四辺からなる枠状の部材である。フレーム１３は、酸化チタンを含有したポリカーボネート樹脂等により成形される。フレーム１３には、導光板１０がはめ込まれ、フレーム１３の内周面が導光板１０の外周面を形成する側面を囲う。フレーム１３は、高い反射率を有しており、導光板１０内の光が導光板１０の外周面から漏れないように光を反射する。フレーム１３の一辺には、光源１１を収容する収容部が設けられ、収容部には、光源１１からの光を反射する反射壁が設けられる。
【００３２】
固定部材１４は、ＦＰＣ１２の下面等に配置され、ＦＰＣ１２とフレーム１３と導光板１０を固定する。固定部材１４は、例えば、上下面が粘着面となった両面粘着テープであるが、両面粘着テープに限られるものではない。反射シート１５は、反射率の高い白色樹脂シートや金属箔などからなる平滑なシートであり、導光板１０内の光が導光板１０の下側面から漏れないように光を反射する。拡散シート１６は、半透明な樹脂フィルムであり、導光板１０の発光面から発せられた光を拡散させて光の指向特性を広げる。プリズムシート１７ａ及び１７ｂは、上面に三角プリズム状の微細なパターンが形成された透明な樹脂フィルムあり、拡散シート１６によって拡散された光を集光し、面光源装置１を上面側から見た場合の輝度を上昇させる。遮光シート１８は、上下両面が粘着面となった黒色の粘着シートである。遮光シート１８は額縁状となっており、光が漏れ出ることを抑制する。
【００３３】
（スジ状領域）
図１に例示したエッジライト型の面光源装置では、導光板１０の金型や成形の不良、各種部材のアセンブル時のズレ、各種シート１５〜１８の貼り合せ時のズレなどの様々な原因により、輝度の不均一に関する不具合が発生することがある。そのような不具合の一つに、直線的に延びるスジ状領域がある。図２にスジ状領域の一例を模式的に示す。スジ状領域には、周囲に比べて輝度が相対的に高い明領域（２０，２１）と、周囲に比べて輝度が相対的に低い暗領域（２２，２３）とがある。また、導光板１０の発光面の長辺に平行に延びる縦スジ（２２）、導光板１０の発光面の短辺に平行に延びる横スジ（２１，２２）、斜めに延びる斜めスジ（２３）がある。
【００３４】
（検査装置）
図３を用いて、本発明の実施形態に係るスジ状領域検出装置を具備した検査装置３の構成を説明する。図３は検査装置３のハードウェア構成を示す図である。この検査装置３は、面光源装置１におけるスジ状領域の発生度合いを定量的に評価し、不良品として排除すべきスジ状領域の有無を自動で判定する装置である。
【００３５】
図３に示すように、検査装置３は、概略、情報処理装置（コンピュータ）３０と、撮像装置３１と、ステージ３２と、定電流電源３３とを有している。情報処理装置３０は、ハードウェアプロセッサであるＣＰＵ（中央演算処理装置）、主記憶であるメモリ、非一時的にプログラムやデータを記憶する記憶装置（ハードディスク、フラッシュメモリなど）、入力装置（マウス、キーボード、タッチパネルなど）、表示装置、撮像装置３１とのインタフェース、ネットワークインタフェースなどを有する、汎用又は専用のコンピュータにより構成される。
【００３６】
撮像装置３１は、ステージ３２上に載置された面光源装置１を撮影し、デジタル画像を出力する装置である。撮像装置３１としては、例えば、光学系、撮像素子、情報処理装置３０とのインタフェースなどを有するデジタルカメラを用いることができる。面光源装置１の輝度計測が目的のため、面光源装置１が単色光源であればモノクロのカメラでも構わないし、面光源装置１が複数色の光源であればカラーのカメラであることが好ましい。ステージ３２は、検査対象となる面光源装置１を載置する台である。定電流電源３３は、面光源装置１に電力を供給する装置である。図示しないが、撮像装置３１及びステージ３２は、クリーンベンチ内に設けられていてもよい。
【００３７】
面光源装置１の型番が異なると、発光面の大きさ（縦横の寸法）や発光輝度が異なる可能性がある。したがって、検査対象の発光面の大きさに応じて、ステージ３２と撮像装置３１の間の距離、又は、撮像装置３１のズームを調整することで、撮像装置３１で得られる画像の１画素と発光面上の実寸との対応関係のキャリブレーションを行うことも好ましい。また、検査対象の発光輝度に応じて、撮像装置３１の露光時間を調整することで、撮
像装置３１で得られる画像の平均輝度のキャリブレーションを行うことも好ましい。これらのキャリブレーションは、情報処理装置３０が自動で実行してもよいし、作業者が手作業で行ってもよい。
【００３８】
図４は、検査装置３のスジ状領域検出処理に関わる機能を示すブロック図である。検査装置３は、画像取得部４０と、第１フィルタ演算部４１と、第２フィルタ演算部４２と、検出部４３と、出力部４４と、記憶部４５とを有する。画像取得部４０は、検査対象となる面光源装置１を撮影した画像データを撮像装置３１から取得する機能である。第１フィルタ演算部４１及び第２フィルタ演算部４２は、フィルタ演算を行う機能である。検出部４３は、第１フィルタ演算部４１と第２フィルタ演算部４２のそれぞれで得られたフィルタ応答値を用いて、スジ状領域を検出する機能である。出力部４４は、画像データや検出結果などの情報を表示装置に出力する機能である。記憶部４５は、検出処理に用いるフィルタ、判定閾値、応答値、評価値などのデータを記憶する機能である。これらの機能の詳細は後述する。
【００３９】
図４に示す機能は、基本的に、情報処理装置３０のＣＰＵが必要なプログラムを記憶装置からロードし、実行することにより実現されるものである。ただし、これらの機能の一部又は全部を、ＡＳＩＣやＦＰＧＡなどの回路で代替しても構わない。また、クラウドコンピューティングや分散コンピューティングの技術を利用することで、これらの機能の一部又は全部を他のコンピュータにより実行しても構わない。
【００４０】
（フィルタ）
図５Ａ〜図５Ｄ、図６Ａ〜図６Ｄを用いて、本実施形態のスジ状領域検出処理で用いるフィルタの特徴を説明する。図５Ａ〜図５Ｄは、従来手法を示し、図６Ａ〜図６Ｄは本実施形態のフィルタを示している。
【００４１】
従来手法では、検出したいスジ状領域の幅に合わせてフィルタ（カーネルのサイズや係数）を変えなければならない。図５Ａは、幅が狭い明領域５０を検出するためのカーネル５５を模式的に示し、図５Ｂは、幅が広い明領域５１を検出するためのカーネル５６を模式的に示す。ただし、カーネル内の黒色の領域は負の係数（例えば「−１」）、白色の領域は正の係数（例えば「＋１」）を表している。これらのフィルタは、カーネルの係数分布とスジ状領域の輝度分布とが一致した場合に、すなわち、カーネル内の白色の領域の幅とスジ状領域の幅とが一致した場合に、最も強く反応する（フィルタの応答値が最も大きくなる）。
【００４２】
また、従来手法では、明領域と暗領域とでフィルタを変える必要もある。図５Ｃ及び図５Ｄは暗領域５２、５３と、それぞれの幅に対応したカーネル５７、５８を示している。暗領域用のカーネル５７、５８は、明領域用のカーネル５５、５６とは係数の符号が反転している。
【００４３】
これに対し、図６Ａ〜図６Ｄに示すように、本実施形態では２つのフィルタを組み合わせてスジ状領域の検出を行う。例えば、画像のＸ方向（図６Ａでは右方向）に沿ってスジ状領域が延びていると仮定する。その場合、フィルタとしては、Ｙ方向（図６Ａでは下方向）に沿う輝度の増加に反応する第１フィルタ６１と、Ｙ方向に沿う輝度の減少に反応する第２フィルタ６２の２つを用いる。第１フィルタ６１は、スジ状領域の一方のエッジ（Ｙ方向に向かって輝度が暗→明となるエッジ）にのみ反応し、第２フィルタ６２は、スジ状領域の他方のエッジ（Ｙ方向に向かって輝度が明→暗となるエッジ）にのみ反応する。したがって、第１フィルタ６１の応答値と第２フィルタ６２の応答値を統合した統合値（例えば、２つの応答値の合計値、平均値など）を用いれば、２つのフィルタ６１、６２の間のＹ方向距離（「フィルタ間隔」と呼ぶ）に対応する幅をもつスジ状領域を検出するこ
とができる。例えば、幅が狭い明領域５０を検出する場合には、図６Ａのようにフィルタ間隔を狭くすればよく、幅が広い明領域５１を検出する場合には、図６Ｂのようにフィルタ間隔を広くすればよい。さらに、図６Ｃ及び図６Ｄに示すように、第１フィルタ６１と第２フィルタ６２の位置関係を入れ替えるだけで、暗領域５２，５３の検出も可能である。
【００４４】
以上述べたように、従来手法では、スジ状領域の幅や、暗領域と明領域の違いごとに、複数のフィルタを用意する必要があったが、本実施形態では、２つのフィルタ６１、６２を用いて任意の幅の明領域及び暗領域を検出することができる。
【００４５】
なお、各フィルタのカーネルサイズ及び係数は、想定されるスジ状領域の幅・長さ、輝度分布、方向などに応じて適宜設定すればよい。例えば図７Ａは、縦スジ検出用のフィルタの例であり、縦（Ｘ方向）：３０ｍｍ×横（Ｙ方向）：１０ｍｍの大きさを有している。画像の解像度が０．１ｍｍ／ｐｉｘの場合、カーネルサイズは３００ｐｉｘ×１００ｐｉｘとなる。第１フィルタ７１は、上半分の係数が負の値（例えば「−１」）であり、下半分の係数が正の値（例えば「＋１」）である。第２フィルタ７２は、第１フィルタ７１を上下反転したものとなっており、上半分の係数が正の値、下半分の係数が負の値である。なお、白色と黒色それぞれの領域内の係数は一定値である必要はなく、勾配を有していても良い。また、図７Ｂは、横スジ検出用の第１フィルタ７３及び第２フィルタ７４の例であり、図７Ｃは、斜めスジ検出用の第１フィルタ７５及び第２フィルタ７６の例である。
【００４６】
（検査処理）
図８のフローチャートに沿って、縦スジの検査処理の流れを説明する。なお、本実施形態では図７Ａのフィルタ７１、７２を用いるものとする。
【００４７】
まず、検査員が、面光源装置１をステージ３２上の所定の位置に、発光面を撮像装置３１側に向けて、配置する。そして、面光源装置１を定電流電源３３に接続して光源１１を駆動し、面光源装置１を点灯状態とする。なお、本実施形態の検査装置３では検査対象の設置を手作業により行うが、検査対象の導入・位置決め・電源との接続・排出などを自動化してもよい。
【００４８】
ステップＳ８０において、撮像装置３１が点灯状態の面光源装置１を撮影し、画像取得部４０が画像データを撮像装置３１から取り込む。画像の解像度は任意であるが、本実施形態では、１画素が約０．１ｍｍ（発光面上の実寸）の解像度の画像を用いる。
【００４９】
ステップＳ８１において、画像取得部４０が、ステップＳ８０で取り込まれた入力画像から発光面の領域のみを抽出する。ここで抽出された発光面の領域の画像を、以後、発光面画像と呼ぶ。図９Ａは入力画像９０の一例であり、図９Ｂは入力画像９０から抽出された発光面画像９１の一例である。本実施形態では、発光面の長辺が画像のＸ軸と平行になるように、発光面画像９１を生成する。符号９２は縦スジ（明領域）を示している。
【００５０】
発光面の領域抽出はどのような方法を用いてもよい。例えば、画像取得部４０が、（１）原画像を２値化し、（２）クロージング処理により背景領域（発光面以外の領域）のノイズを除去した後、（３）発光面の輪郭を抽出してもよい。さらに、発光面の輪郭が画像座標系に対して傾いている場合には、傾き補正（回転補正）を行ってもよい。あるいは、検査対象のステージ上の位置決め精度が十分高い場合には、原画像中の所定の範囲を切り出すだけでもよい。
【００５１】
ステップＳ８２では、フィルタ７１、７２のＸ方向位置に初期値（例えば、Ｘ＝１５ｍ
ｍ）を設定する。ステップＳ８３では、第１フィルタ演算部４１が第１フィルタ７１をＹ方向に走査し、各Ｙ方向位置での第１フィルタ７１の応答値（第１応答値と呼ぶ）を計算する。
【００５２】
ステップＳ８３の詳細フローを図１０に示す。まず第１フィルタ演算部４１は、第１フィルタ７１のＹ方向位置に初期値（例えば、Ｙ＝５ｍｍ）を設定する（ステップＳ１００）。次に、第１フィルタ演算部４１は、設定されたＸ方向位置及びＹ方向位置を中心とする画像領域に対し第１フィルタ７１を適用し、第１フィルタ７１の第１応答値を計算する（ステップＳ１０１）。第１応答値は、第１フィルタ７１の係数と対応する画素値の積和演算の結果である。積和演算の結果が負の値の場合は応答値を０にしてもよい。計算された第１応答値は、第１フィルタ７１の適用位置（Ｘ方向位置とＹ方向位置）の情報と共に記憶部４５に保持される（ステップＳ１０２）。その後、フィルタのＹ方向位置を１画素ずつシフトしながら（ステップＳ１０３）、フィルタが検査範囲のＹ方向の終端に到達するまで（ステップＳ１０４）、ステップＳ１０１〜Ｓ１０２の処理を繰り返す。なお、検査範囲は発光面画像９１の全体でもよいし、（例えば、縦スジが現れ得るエリアがあらかじめわかっている場合などには）発光面画像９１の一部でもよい。
【００５３】
ステップＳ８４では、第２フィルタ演算部４２が第２フィルタ７２をＹ方向に走査し、各Ｙ方向位置での第２フィルタ７２の応答値（第２応答値と呼ぶ）を計算する。ステップＳ８４の処理は、用いるフィルタが異なる点を除けば、ステップＳ８３の処理と同様である。ステップＳ８４で計算された第２応答値は、第２フィルタ７２の適用位置の情報と共に記憶部４５に保持される。
【００５４】
ステップＳ８５では、検出部４３が、例えば下記式により、第１応答値と第２応答値の統合値の最大値Ｒ（ｘ）を計算する。このＲ（ｘ）の値は、Ｘ方向位置：ｘにおけるスジ状領域の発生度合いを定量化した値であり、以後、「スジ状領域評価値」と呼ぶ。
【数１】
2018097717.tif 000003
ここで、Ｒ１（ｘ，ｉ）はＸ方向位置：ｘ，Ｙ方向位置：ｉにおける第１応答値であり、Ｒ２（ｘ，ｊ）はＸ方向位置：ｘ，Ｙ方向位置：ｊにおける第２応答値である。ΩはＹ方向の検査範囲である。また、ｍはフィルタ７１，７２のカーネルの白色領域（または黒色領域）のＹ方向幅であり、｜ｉ−ｊ｜はｉとｊの差の絶対値、すなわちフィルタ間隔である。条件｜ｉ−ｊ｜≧ｍは、一方のフィルタの白色領域と他方のフィルタの黒色領域が重ならないことを表している。
【００５５】
上記式は、Ｘ方向位置ｘにおいて、２つのフィルタ７１，７２をＹ方向にシフト（走査）することで得られる、複数の第１応答値Ｒ１（ｘ，ｉ）と複数の第２応答値Ｒ２（ｘ，ｊ）のうちから、統合値の最大値Ｒ（ｘ）を与える第１応答値と第２応答値の組み合わせを選択することを意味している。
【００５６】
なお、上記式では、図６Ａ及び図６Ｂのように第１フィルタ７１の方が上にある場合と、図６Ｃ及び図６Ｄのように第２フィルタ７２の方が上にある場合の両方を考慮するため、明領域と暗領域の両方を検出可能である。すなわち、スジ状領域評価値Ｒ（ｘ）を与えるｉ，ｊの組み合わせが、ｉ＜ｊの場合は明領域であり、ｉ＞ｊの場合は暗領域である。なお、明領域のみを検出したい場合には上記式においてｉ＜ｊという制約を加えればよく、暗領域のみを検出したい場合には上記式においてｉ＞ｊという制約を加えればよい。
【００５７】
ステップＳ８６では、検出部４３が、ステップＳ８５で求めたスジ状領域評価値Ｒ（ｘ）を判定閾値と比較する。判定閾値はスジ状領域の有無を判定するための閾値であり、官能検査の結果や実験結果などに基づいて予め決めておけばよい。検出部４３は、スジ状領域評価値Ｒ（ｘ）が判定閾値より大きい場合は「位置ｘにスジ状領域が発生している」と判定し（ステップＳ８７）、そうでない場合は「位置ｘにスジ状領域無し」と判定する（ステップＳ８８）。
【００５８】
その後、フィルタのＸ方向位置を５ｍｍずつ（５０画素ずつ）シフトしながら（ステップＳ８９）、フィルタが検査範囲のＸ方向の終端に到達するまで（ステップＳ９０）、ステップＳ８３〜Ｓ８９の処理を繰り返す。なお、検査範囲は発光面画像９１の全体でもよいし、（例えば、縦スジが現れ得るエリアがあらかじめわかっている場合などには）発光面画像９１の一部でもよい。
【００５９】
ステップＳ９１において、出力部４４は、検出部４３により得られた情報を出力する画面を生成し、表示装置に出力する。図１１は検査結果の出力画面の一例である。この出力画面では、撮像装置３１から取り込まれた入力画像１１０と、入力画像１１０から切り出された発光面画像１１１と、発光面画像１１１に対し輝度ムラを目立たせるための加工を施した加工画像（例えば疑似カラー画像など）１１２が表示されている。また、発光面画像１１１の上に、スジ状領域が現れている位置を示す情報（例えば、スジ状領域評価値Ｒ（ｘ）が判定閾値を超えた画像領域を示す枠）１１３が重畳表示されている。さらに、スジ状領域評価値の最大値ｍａｘＲ（ｘ）１１４とその判定結果１１５、及び、スジ状領域評価値の最大値ｍａｘＲ（ｘ）が得られたＸ方向位置（図１１の一点鎖線）におけるＹ方向の輝度プロファイル１１６も表示される。
【００６０】
以上述べた本実施形態の検査装置３によれば、面光源装置１の発光面を撮影した画像を基に、スジ状領域の発生度合いを表す評価値を計算し、かつ、この評価値に基づいてスジ状領域の有無を判定することができる。したがって、スジ状領域を客観的かつ自動的に検査することが可能となる。また、２つのフィルタだけで、任意の幅のスジ状領域を検出可能であるため、従来手法のようにあらかじめ多数のフィルタを用意しておく必要がない。よって、フィルタ設計の工数ならびにフィルタ用のメモリ容量を大幅に削減することができる。
【００６１】
さらに、第１フィルタと第２フィルタについて１回ずつ走査を行い、各適用位置での第１応答値と第２応答値を記憶部に保持した後は、第１応答値と第２応答値の組み合わせを変えて統合値を計算することで、任意の位置の任意の幅のスジ状領域の発生度合いを評価することができる。このアルゴリズムによれば、幅の異なる複数種類のスジ状領域を検出するために必要なフィルタ演算量を、従来方法（検出する幅毎の複数のフィルタを用いる方法）に比べて、大幅に削減することができる。したがって、本実施形態の方法は、２種類以上のスジ状領域が検出対象となる場合や、スジ状領域の幅が不定である場合において、従来方法よりも処理時間を大幅に短縮できるという有利な効果を奏する。
【００６２】
また、図１１に示す検査結果を出力することにより、検査員は、スジ状領域の有無や面光源装置１の良／不良を即座に判断することができる。また、スジ状領域評価値も出力されるので、判定結果の根拠が確認でき、判定結果の納得性・客観性が向上する。また、発光面画像１１１の上にスジ状領域の位置を示す情報１１３が重畳表示されるので、スジ状領域が現れている問題箇所を直観的かつ簡易に把握することができ、現物の確認作業にも有用である。さらに、輝度プロファイル１１６も表示されるので、スジ状領域の状態（周囲との輝度の差）を把握することができる。
【００６３】
＜第２実施形態＞
次に、本発明の第２実施形態について説明する。第１実施形態では、フィルタのＸ方向位置ごとにスジ状領域評価値を求めたのに対し、第２実施形態では、フィルタ間隔ごと（つまり、スジ状領域の幅ごと）にスジ状領域評価値を求める点が異なる。それ以外の構成については第１実施形態のものと同様であるため、以下では第２実施形態に特有の構成及び処理についてのみ説明する。
【００６４】
図１２及び図１３は、第２実施形態における縦スジの検査処理のフローチャートである。まず、ステップＳ８０〜Ｓ８４，Ｓ８９，Ｓ９０の処理によって、各フィルタ７１、７２をＹ方向及びＸ方向にそれぞれ走査し、検査範囲内の各Ｘ方向位置・各Ｙ方向位置における第１応答値及び第２応答値を計算し、記憶部４５に保持する。これらの処理は第１実施形態の図８のフローチャートにおける同じステップ番号の処理と同様である。
【００６５】
続いて、幅ごとのスジ状領域評価値を計算する。本実施形態では、幅ｗ＝４，６，８，１０［ｍｍ］についてスジ状領域評価値を求める例を示す。
【００６６】
まずステップＳ１２０では、検出部４３が、幅ｗに初期値（４ｍｍ）を設定する。そして、ステップＳ１２１では、検出部４３が、Ｙ方向位置ｙに初期値（例えば５ｍｍ）を設定する。
【００６７】
ステップＳ１２２では、検出部４３は、例えば下記式により、スジ状領域評価値Ｒ（ｙ，ｗ）を計算する。このＲ（ｙ，ｗ）の値は、Ｙ方向位置：ｙにおける幅：ｗのスジ状領域の発生度合いを定量化した値である。
【数２】
2018097717.tif 000004
ここで、Ｒ１（ｋ，ｙ）はＸ方向位置：ｋ，Ｙ方向位置：ｙにおける第１応答値であり、Ｒ２（ｋ，ｙ＋ｗ）はＸ方向位置：ｋ，Ｙ方向位置：ｙ＋ｗにおける第２応答値である。ΘはＸ方向の検査範囲である。
【００６８】
上記式は、２つのフィルタ７１，７２のＹ方向位置とフィルタ間隔を一定に保ったまま、２つのフィルタ７１，７２をＸ方向にシフト（走査）することで得られる、複数の第１応答値Ｒ１（ｋ，ｙ）と複数の第２応答値Ｒ２（ｋ，ｙ＋ｗ）を統合した値Ｒ（ｙ，ｗ）を計算することを意味している。
【００６９】
ステップＳ１２３では、検出部４３が、ステップＳ１２２で求めたスジ状領域評価値Ｒ（ｙ，ｗ）を判定閾値と比較する。検出部４３は、スジ状領域評価値Ｒ（ｙ，ｗ）が判定閾値より大きい場合は「位置ｙに幅ｗのスジ状領域が発生している」と判定し（ステップＳ１２４）、そうでない場合は「位置ｙに幅ｗのスジ状領域無し」と判定する（ステップＳ１２５）。
【００７０】
その後、ｙを１画素ずつシフトしながら（ステップＳ１２６）、ｙの値が検査範囲のＹ方向の終端に到達するまで（ステップＳ１２７）、ステップＳ１２２〜Ｓ１２５の処理を繰り返す。さらにその後、幅ｗを２ｍｍずつ増やしながら（ステップＳ１２８）、ｗの値が１０ｍｍとなるまで（ステップＳ１２９）、ステップＳ１２１〜Ｓ１２７の処理を繰り返す。以上で、幅ｗ＝４，６，８，１０［ｍｍ］それぞれのスジ状領域の検出処理が終了する。以降の処理は第１実施形態と同様である。
【００７１】
本実施形態で用いたスジ状領域評価値Ｒ（ｙ，ｗ）は、Ｘ方向に沿って同じ幅の明領域又は暗領域が長く延びているほど、大きい値をとる。したがってこの評価値Ｒ（ｙ，ｗ）を用いてスジ状領域の発生度合いを評価することにより、Ｘ方向に沿って延びるスジ状領域（縦スジ）を精度良く検出することができる。
【００７２】
なお、本実施形態では、Ｙ方向位置：ｙと幅：ｗの組み合わせごとに評価値Ｒ（ｙ，ｗ）を求めている。この方法は画像内に現れている全ての縦スジを検出できるという利点がある。ただし、画像内に最も強く現れている縦スジのみを検出・評価するだけ十分なケースであれば、下記式のような評価値Ｒ（ｗ）又は評価値Ｒを用いてもよい。評価値Ｒ（ｗ）は幅：ｗのスジ状領域の発生度合いを定量化した値であり、評価値Ｒは任意の幅のスジ状領域の発生度合いを定量化した値である。
【数３】
2018097717.tif 000005
【００７３】
＜その他＞
上記の実施形態の説明は、本発明を例示的に説明するものに過ぎない。本発明は上記の具体的な形態には限定されることはなく、その技術的思想の範囲内で種々の変形が可能である。例えば、上記実施形態では矩形の発光面をもつ面光源装置を例示したが、発光面の形状は矩形に限られない。また、上述したスジ状領域評価値はあくまで一例であり、第１フィルタの第１応答値と第２フィルタの第２応答値を統合した値であればどのように設計してもよい。また、上記実施形態では縦スジの検出処理を例示したが、フィルタのカーネルと走査方向を適宜変えるだけで、横スジや斜めスジの検出が可能であることは言うまでもない。もちろん、縦スジ、横スジ、斜めスジのうち２種類以上のスジ状領域の検出を行ってもよい。
【符号の説明】
【００７４】
１：面光源装置
１０：導光板、１１：光源、２０〜２３：スジ状領域
３：検査装置、３０：情報処理装置、３１：撮像装置、３２：ステージ、３３：定電流電源
４０：画像取得部、４１：第１フィルタ演算部、４２：第２フィルタ演算部、４３：検出部、４４：出力部、４５：記憶部
６１，７１，７３，７５：第１フィルタ
６２，７２，７４，７６：第２フィルタ
９０：入力画像、９１：発光面画像、９２：縦スジ
【図１】
2018097717.tif 000006
【図２】
2018097717.tif 000007
【図３】
2018097717.tif 000008
【図４】
2018097717.tif 000009
【図５】
2018097717.tif 000010
【図６】
2018097717.tif 000011
【図７】
2018097717.tif 000012
【図８】
2018097717.tif 000013
【図９】
2018097717.tif 000014
【図１０】
2018097717.tif 000015
【図１１】
2018097717.tif 000016
【図１２】
2018097717.tif 000017
【図１３】
2018097717.tif 000018
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
画像を取得する画像取得部と、
第１方向に沿う輝度の増加に反応する第１フィルタを前記画像に適用し、前記第１フィルタの適用位置における前記第１フィルタの応答値である、第１応答値を取得する第１フィルタ演算部と、
前記第１方向に沿う輝度の減少に反応する第２フィルタを前記画像に適用し、前記第２フィルタの適用位置における前記第２フィルタの応答値である、第２応答値を取得する第２フィルタ演算部と、
前記第１応答値と前記第２応答値を加算又は平均した統合値を計算し、前記統合値が所定の閾値より大きい場合に、前記第１フィルタの適用位置と前記第２フィルタの適用位置との間の前記第１方向に沿う距離に対応する幅をもつ、スジ状領域があると判定する検出部と、
前記検出部により得られた情報を出力する出力部と、を有する
ことを特徴とするスジ状領域検出装置。
【請求項２】
前記第１フィルタ演算部は、前記第１フィルタの適用位置を変えて、複数の第１応答値を取得し、
前記第２フィルタ演算部は、前記第２フィルタの適用位置を変えて、複数の第２応答値を取得し、
前記検出部は、前記複数の第１応答値と前記複数の第２応答値のうちから選択する第１応答値と第２応答値の組み合わせを変えることにより、幅の異なる複数種類のスジ状領域を検出可能である
ことを特徴とする請求項１に記載のスジ状領域検出装置。
【請求項３】
前記第１フィルタ演算部は、前記第１フィルタの適用位置を前記第１方向にシフトしながら、複数の第１応答値を取得し、
前記第２フィルタ演算部は、前記第２フィルタの適用位置を前記第１方向にシフトしながら、複数の第２応答値を取得し、
前記検出部は、前記複数の第１応答値と前記複数の第２応答値のうちから、前記統合値が最大となる第１応答値と第２応答値の組み合わせを選択し、最大の前記統合値に基づい
てスジ状領域の有無を判定する
ことを特徴とする請求項１に記載のスジ状領域検出装置。
【請求項４】
前記スジ状領域は、前記第１方向と直交する第２方向に沿って延びる領域であり、
前記第１フィルタ演算部は、前記第１フィルタの適用位置を前記第２方向にシフトしながら、複数の第１応答値を取得し、
前記第２フィルタ演算部は、前記第２フィルタの適用位置を前記第２方向にシフトしながら、複数の第２応答値を取得し、
前記検出部は、前記複数の第１応答値と前記複数の第２応答値を統合した統合値を計算し、前記統合値に基づいて前記第２方向に沿って延びるスジ状領域の有無を判定する
ことを特徴とする請求項１に記載のスジ状領域検出装置。
【請求項５】
前記出力部は、前記統合値と、前記スジ状領域の検出結果とを出力する
ことを特徴とする請求項１〜４のうちいずれか１項に記載のスジ状領域検出装置。
【請求項６】
前記出力部は、前記画像又は前記画像を加工した画像の上に、前記スジ状領域が検出された位置を示す情報を重畳した画像を、出力する
ことを特徴とする請求項１〜５のうちいずれか１項に記載のスジ状領域検出装置。
【請求項７】
前記出力部は、前記第１方向に沿う輝度値の変化を示す１次元の輝度プロファイルを出力する
ことを特徴とする請求項１〜６のうちいずれか１項に記載のスジ状領域検出装置。
【請求項８】
前記画像取得部により取得される前記画像は、面光源装置の発光面を撮影した画像であり、
前記検出部は、前記発光面内の輝度の不均一により現れるスジ状の明領域又は暗領域を検出するものである
ことを特徴とする請求項１〜７のうちいずれか１項に記載のスジ状領域検出装置。
【請求項９】
画像を取得するステップと、
第１方向に沿う輝度の増加に反応する第１フィルタを前記画像に適用し、前記第１フィルタの適用位置における前記第１フィルタの応答値である、第１応答値を取得するステップと、
前記第１方向に沿う輝度の減少に反応する第２フィルタを前記画像に適用し、前記第２フィルタの適用位置における前記第２フィルタの応答値である、第２応答値を取得するステップと、
前記第１応答値と前記第２応答値を加算又は平均した統合値を計算し、前記統合値が所定の閾値より大きい場合に、前記第１フィルタの適用位置と前記第２フィルタの適用位置との間の前記第１方向に沿う距離に対応する幅をもつ、スジ状領域があると判定するステップと、
検出の結果を出力するステップと、を含む
ことを特徴とするスジ状領域検出方法。
【請求項１０】
請求項９に記載のスジ状領域検出方法の各ステップをコンピュータに実行させるためのプログラム。
【手続補正２】
【補正対象書類名】明細書
【補正対象項目名】００１０
【補正方法】変更
【補正の内容】
【００１０】
具体的には、本発明の第一態様は、画像を取得する画像取得部と、第１方向に沿う輝度の増加に反応する第１フィルタを前記画像に適用し、前記第１フィルタの適用位置における前記第１フィルタの応答値である、第１応答値を取得する第１フィルタ演算部と、前記第１方向に沿う輝度の減少に反応する第２フィルタを前記画像に適用し、前記第２フィルタの適用位置における前記第２フィルタの応答値である、第２応答値を取得する第２フィルタ演算部と、前記第１応答値と前記第２応答値を加算又は平均した統合値を計算し、前記統合値が所定の閾値より大きい場合に、前記第１フィルタの適用位置と前記第２フィルタの適用位置との間の前記第１方向に沿う距離に対応する幅をもつ、スジ状領域があると判定する検出部と、前記検出部により得られた情報を出力する出力部と、を有するスジ状領域検出装置を提供する。